(57)【要約】【課題】光源の光をより効果的に外部へ照射できる照明器具用の光源ユニットを提供する。【解決手段】設置場所に応じた領域へ光を照射する照明器具、例えば誘導灯の光源ユニット１０において、光源ユニット１０は、光源としてのＬＥＤ１１Ａを備える。ＬＥＤ１１Ａは、保持部１２により保持する。ＬＥＤ１１Ａを保持した保持部１２は、光源用筐体１３Ａに装着する。保持部１２に保持されたＬＥＤ１１Ａは、光源用筐体１３Ａの内部空間に収容する。ＬＥＤ１１Ａを収容する光源用筐体１３Ａは、透過性部材により構成する。【選択図】図１
2012123992.tif 000002
【特許請求の範囲】
【請求項１】
設置場所に応じた領域へ光を照射する照明器具の光源ユニットにおいて、
光源を保持する保持部と、
該保持部により保持された前記光源を収容する内部空間を有する透過性の光源用筐体と
を備えることを特徴とする光源ユニット。
【請求項２】
前記光源用筐体は、
前記光源の照射方向に位置する面が、前記光源からの光を拡散可能に形成されている
ことを特徴とする請求項１に記載の光源ユニット。
【請求項３】
前記面は、
少なくとも一部が外側に湾曲している
ことを特徴とする請求項２に記載の光源ユニット。
【請求項４】
光源、保持部及び光源用筐体それぞれを二つ備えており、
二つの前記保持部は、
それぞれが保持する光源の照射方向が交差しないように設けられている
ことを特徴とする請求項２又は３に記載の光源ユニット。
【請求項５】
前記照明器具は誘導灯である
ことを特徴とする請求項１から４の何れか一つに記載の光源ユニット。
【発明の詳細な説明】
【技術分野】
【０００１】
本発明は、設置場所に応じた領域へ光を照射する照明器具の光源ユニットに関する。
【背景技術】
【０００２】
暗闇が必要な劇場内や夜間において、通路を光で照射して、通行者の安全を図る誘導灯がある。特許文献１には、路面に埋め込まれ、通行を誘導し、あるいは注意を喚起するのに用いられる誘導灯が開示されている。特許文献１に記載の誘導灯は、光源である発光素子を二つ有しており、それぞれが別方向に光を照射することで、より広い範囲に光を照射できるようにしている。
【先行技術文献】
【特許文献】
【０００３】
【特許文献１】特開２００６−１４４３４３号公報
【発明の概要】
【発明が解決しようとする課題】
【０００４】
特許文献１において、一の光源は、一方向のみしか光が照射できないように、誘導灯の筐体内で保持されている。このため、特許文献１では、広い範囲に光を照射するために、他の方向に光を照射する別の光源をさらに設ける必要があり、部品点数が増加するという問題がある。
【０００５】
そこで、本発明の目的は、光源の光をより効果的に外部へ照射できる照明器具用の光源ユニットを提供することにある。
【課題を解決するための手段】
【０００６】
本発明は、設置場所に応じた領域へ光を照射する照明器具の光源ユニットにおいて、光源を保持する保持部と、該保持部により保持された前記光源を収容する内部空間を有する透過性の光源用筐体とを備えることを特徴とする。
【０００７】
この構成では、透過性を有する光源用筐体の内部空間に光源を収容している。一部のみが透過性を有する筐体を用いた場合、光源からの光は、筐体の非透過の部分により遮られる。一方、筐体全体が透過性を有している場合、光が筐体により遮られることはない。
【０００８】
これにより、光源ユニットからの光が光源用筐体に遮られることないため、その光源ユニットを備える照明器具は、光源からの光をより効果的に外部へ照射することが可能となる。例えば、照明器具本体の筐体を透明にしたり、光を照射する照射孔（開口）を広く形成したりすることで、より広い範囲に光を照射することができる。
【０００９】
また、光源ユニット自身は、光源の光を遮ることがないため、光源ユニットを照明器具に設ける場合に、光源ユニットの照射方向等を考慮する必要がなく、自由に照明器具内に配置することが可能となる。
【００１０】
また、一部を透過とした光源用筐体を用いる場合、透過部分を別部品とする必要があるが、光源用筐体全体が透過性を有するようにすることで、部品点数の削減、及び電源ユニットの組み立て工程の削減などが実現できる。
【００１１】
本発明に係る光源ユニットにおいて、前記光源用筐体は、前記光源の照射方向に位置する面が、前記光源からの光を拡散可能に形成されていることを特徴とする。
【００１２】
この構成では、光源からの光を光源用筐体の外側に向けて拡散できる。これにより、単に光源の光を光源用筐体の外側に照射する場合よりも、より広い範囲に光を照射することができる。面は、光を拡散する性質を有する樹脂がコーティングされてもよいし、拡散できる形状に形成されていてもよい。
【００１３】
本発明に係る光源ユニットにおいて、前記面は、少なくとも一部が外側に湾曲していることを特徴とする。
【００１４】
この構成では、光を拡散させる具体的な構成を示す。光を拡散するために、製造工程において、光源用筐体の一部に特殊なコーティング等をする手間を省くことができる。
【００１５】
本発明に係る光源ユニットは、光源、保持部及び光源用筐体それぞれを二つ備えている。二つの前記保持部は、それぞれが保持する光源の照射方向が交差しないように設けられている。
【００１６】
この構成では、一つの光源の場合よりも、広い範囲に光を照射できる。
【００１７】
本発明に係る光源ユニットにおいて、前記照明器具は誘導灯であることを特徴とする。
【００１８】
この構成では、誘導灯に用いる例を示す。この場合、広い範囲に光を照射できるため、通行者をより安全に誘導することができる。
【発明の効果】
【００１９】
本発明によれば、光源からの光の照射をより効果的に行える照明器具の光源ユニットを提供することができる。
【図面の簡単な説明】
【００２０】
【図１】実施形態に係る光源ユニットの各部品の組み立て斜視図である。
【図２】組み立て後の光源ユニットであって、図１のＩＩ−ＩＩ線における断面図を示す。
【図３】光源用筐体に形成されたレンズ部による効果を説明するための模式図である。
【図４】実施形態に係る誘導灯の外観斜視図である。
【図５】図４に示すＶ−Ｖ線における断面図である。
【発明を実施するための形態】
【００２１】
以下、本発明に係る光源ユニットの好適な実施の形態について図面を参照して説明する。
【００２２】
図１は、本実施形態に係る光源ユニットの各部品の組み立て斜視図である。図２は、組み立て後の光源ユニットであって、図１のＩＩ−ＩＩ線における断面図を示す。
【００２３】
本実施形態に係る光源ユニット１０は、光源として種々の照明器具に設けられる。照明器具は、暗闇で、通路等の光を照射して、歩行者の安全な歩行を図るための誘導灯、又は非常時に点灯する非常灯など適宜変更可能である。
【００２４】
光源ユニット１０は、発光部１１、保持部１２及び筐体１３を備えている。
【００２５】
発光部１１は、ＬＥＤ（Light Emitting Diode）１１Ａ及び基板１１Ｂを有している。ＬＥＤ１１Ａは、基板１１Ｂの一面（以下、この面を上面という）に設けられている。
【００２６】
基板１１Ｂの平面部分は、一部が突出した凸形状を有している。ＬＥＤ１１Ａは、基板１１Ｂの上面における突出側とは反対側に設けられている。基板１１Ｂは、ＬＥＤ１１Ａを配線するためのプリント基板であり、例えば、ガラスエポキシ樹脂、または熱伝導率の高い金属製基板などである。
【００２７】
なお、発光部１１は、ＬＥＤ１１Ａを有するようにしているが、他の光源、例えば、白熱電球等であってもよい。
【００２８】
保持部１２は、ベース１２Ａ、凸部１２Ｂ及びカバー１２Ｃを有している。ベース１２Ａは、基板１１Ｂと同様に、略凸部形状の平板であって、一方の面（以下、この面を上面という）に凸部１２Ｂ及びカバー１２Ｃが設けられている。以下、凸部形状であるベース１２Ａの突出する方向を長さ方向とし、それに直交する方向を幅方向とする。
【００２９】
凸部１２Ｂは、直方体形状を有しており、ベース１２Ａの上面における突出側とは反対側であって、ベース１２Ａの幅方向の略中心、かつ、長さ方向に沿って設けられている。凸部１２Ｂには、発光部１１の基板１１Ｂが載置されるようになっている。基板１１Ｂが凸部１２Ｂに載置された場合、同じ凸部形状の基板１１Ｂ及びベース１２Ａが、互いに反対方向となって対向するようになっている。
【００３０】
なお、保持部１２は、例えば、図示しない爪部材により基板１１Ｂを挟み込んで発光部１１を固定することが好ましいが、接着剤などで発光部１１を保持部１２に固定してもよい。
【００３１】
カバー１２Ｃは、略長方形状の平板状であって、ベース１２Ａの突出側端部に、幅方向に沿って略垂直に設けられている。発光部１１を保持した保持部１２には、後述の筐体１３が被せられるようになっている。カバー１２Ｃは、保持部１２に筐体１３が被せられた場合、筐体１３の蓋としての役割を有している。
【００３２】
なお、ベース１２Ａ、凸部１２Ｂ及びカバー１２Ｃは、同じ一つの部材から形成されたものであってもよいし、それぞれが別個の部材が組み合わされた（接着された）ものであってもよい。
【００３３】
筐体１３は、光源用筐体１３Ａと、ＬＥＤソケット１３Ｂとを有している。光源用筐体１３ＡとＬＥＤソケット１３Ｂとは、一体となって形成されたものであってもよいし、別個に形成されたものを組み合わせたものであってもよい。
【００３４】
光源用筐体１３Ａは、図２に示すように、天面と二側面とからゲート状に形成されている。光源用筐体１３Ａは、天面が、発光部１１及び保持部１２の上面と対向するように、発光部１１を保持した保持部１２に被せることが可能な構成としてある。光源用筐体１３Ａを保持部１２に被せた場合、発光部１１は、光源用筐体１３Ａ及び、保持部１２のカバー１２Ｃにより形成される空間に収容されるようになっている。
【００３５】
光源用筐体１３Ａは、全体が透過性を有する樹脂製部材、例えばアクリル樹脂から形成されている。従って、光源用筐体１３Ａに収容された発光部１１のＬＥＤ１１Ａが発する光は、光源用筐体１３Ａの側面や天面により遮られることがない。換言すれば、光源用筐体１３Ａは、内部に収容したＬＥＤ１１Ａが発する光の照射範囲を狭めることがない。
【００３６】
光源用筐体１３Ａの天面には、発光部１１が内部に収容された場合に、発光部１１のＬＥＤ１１Ａと対向する位置に、外側に湾曲したレンズ部１３１が形成されている。レンズ部１３１は、ＬＥＤ１１Ａが発光した場合に、ＬＥＤ１１Ａからの光を拡散させる。
【００３７】
図３は、光源用筐体１３Ａに形成されたレンズ部１３１による効果を説明するための模式図である。図３（Ａ）は、レンズ部１３１が形成されていない場合、図３（Ｂ）は、レンズ部１３１が形成されている場合を示す。図３に示す矢印は、ＬＥＤ１１Ａから照射された光の軌道を模式的に示している。
【００３８】
図３（Ａ）に示すように、レンズ部１３１が形成されていない場合、すなわち、光源用筐体１３Ａの天面が平面状である場合、ＬＥＤ１１Ａから照射された光は、軌道を変えることなく略直進する。これに対し、図３（Ｂ）に示すように、レンズ部１３１が形成された場合、ＬＥＤ１１Ａから照射された光は、レンズ部１３１がレンズ効果の役割を果たす結果、レンズ部１３１に入力されると、屈折して外側に広がって直進する。
【００３９】
このように、レンズ部１３１を光源用筐体１３Ａに形成することで、ＬＥＤ１１Ａの光をより広い範囲に照射できるようになる。
【００４０】
なお、光源用筐体１３Ａの天面に、レンズ部１３１を形成せずに、光を拡散する樹脂がコーティングすることで、光を拡散できるようにしてもよい。この場合、光源用筐体１３Ａが外側にサイズが大きくなることを防止できる。
【００４１】
ＬＥＤソケット１３Ｂは、光源用筐体１３Ａに収容された発光部１１への電源供給のためのプラグ（不図示）が差し込み可能なソケットである。ＬＥＤソケット１３Ｂに差し込まれたプラグは、筐体１３内部で、発光部１１の基板１１Ｂと電気的に接続されるようになっている。
【００４２】
なお、ＬＥＤソケット１３Ｂは、光源用筐体１３Ａと同様の部材で構成されていてもよいし、他の部材で構成されていてもよい。
【００４３】
また、発光部１１、保持部１２及び筐体１３それぞれは、ＬＥＤ１１Ａの発熱を効率よく逃がす熱伝導率の高い金属製であることが好ましい。
【００４４】
以上のように、ＬＥＤ１１Ａを収容する光源用筐体１３Ａ全体が透過性を有することで、ＬＥＤ１１Ａからの光が、光源用筐体１３Ａにより遮られることがなくなる。その結果、光源ユニット１０を用いた照明器具において、光源ユニット１０の光源の光を効果的に活用することができる。
【００４５】
以下に、上述のように構成される光源ユニット１０を光源として備える照明器具の一例について説明する。本実施形態では、照明器具として、劇場内で、通路に光を照射する誘導灯を例に挙げて説明する。
【００４６】
図４は、本実施形態に係る誘導灯の外観斜視図である。図５は、図４に示すＶ−Ｖ線における断面図である。
【００４７】
誘導灯１は、長方形状のベース部材４０を有している。ベース部材４０には、二つの光源ユニット１０及び電源ユニット２０等が設けられている。また、ベース部材４０には、これら光源ユニット１０等を保護するカバー３０が装着されている。
【００４８】
カバー３０は、一面が開口した長尺状の箱型であり、この開口にベース部材４０が嵌め込まれるようになっている。ベース部材４０に嵌め込まれたカバー３０は、ベース部材４０に設けられた各部品を内側に収容するようになっている。
【００４９】
カバー３０は、長手方向における一端部が三角状に外側に突出するように、傾斜面３１，３２を有している。傾斜面３１，３２それぞれには、誘導灯１の光源、すなわち、光源ユニット１０の光を外部に照射するための開口３１Ａ，３２Ａが形成されている。開口３１Ａ，３２Ａは空洞であってもよいし、防塵のためのガラス等の透明部材を開口３１Ａ，３２Ａに嵌め込むようにしてもよい。
【００５０】
二つの光源ユニット１０は、ベース部材４０にカバー３０が装着された場合に、光源用筐体１３Ａの天面が開口３１Ａ，３２Ａそれぞれと対向するように、ベース部材４０に保持されている。これにより、光源ユニット１０からの光は、開口３１Ａ，３２Ａそれぞれから外部へ照射される。
【００５１】
また、二つの光源ユニット１０は、光の照射方向が互いに交わらない方向となるようにベース部材４０に保持されている。二つの光源ユニット１０からの光の照射範囲が重ならないようにすることで、誘導灯１は、より広い範囲に光を照射することができる。
【００５２】
なお、光源ユニット１０は、レンズ部１３１により、光を拡散できるようになっているため、二つの光源ユニット１０の設置角度や設置距離は、レンズ部１３１により拡散される光が交わらないように設定されることが好ましいが、一部の光が交わるよう設定されてもよい。
【００５３】
また、誘導灯１に設ける光源ユニット１０の数は、一つであってもよいし、三つ以上であってもよい。カバー３０に形成される開口３１Ａ，３２Ａは、光源ユニット１０の数や設置態様によって、適切な位置に形成されることは当然である。
【００５４】
光源ユニット１０の光源用筐体１３Ａは、全体が透過性を有しているため、光源ユニット１０からの光は、光源用筐体１３Ａで遮られることなく、開口３１Ａ，３２Ａそれぞれから外部へ照射される。従って、開口３１Ａ，３２Ａを大きくすれば、誘導灯１は、より広い範囲に光を照射することができる。
【００５５】
また、二つの光源ユニット１０を照射方向が交差しないように設置することで、誘導灯１は、一つの光源ユニット１０を有する場合、または、照射方向を同じにして光源ユニット１０を設けた場合との対比において、より広い範囲へ光を照射できる。
【００５６】
図６は、誘導灯１を劇場の観客席に設置した状態を示している。
【００５７】
誘導灯１は、映画館等、劇場内の階段状の通路に沿って配置される観客席１００の側面に設置されている。誘導灯１は、開口３１Ａ，３２Ａからの光が通路（床）に向かって光が照射されるように、観客席１００の側面に設置されている。
【００５８】
誘導灯１は、図中点線で示すように、下方に向かって広がるように光を照射して、観客席１００近傍の通路を照射する。以下、誘導灯１により光が照射される領域を、照射領域１ａという。誘導灯１により通路が照射されることで、劇場内が暗くても、観客は通路を視認でき、階段状の通路を安全に通行することができる。
【００５９】
上述のように、誘導灯１は、広い範囲に光を照射できる。従って、図６に示すように、通路が階段状の場合、段差部分にも光を照射できるようになるため、観客の安全を確保することができる。また、二つの光源ユニット１０の設置角度をより広げて、照射領域１ａをより大きくすることで、各観客席１００に誘導灯１を設置しなくても、例えば、一つの間隔を空けて誘導灯１を設置しても、通路を隈なく照射することができる。
【００６０】
なお、本実施形態では、誘導灯１は、観客席１００の側面に設置するものとして説明しているが、誘導灯１の設置場所は、通路に沿った壁面、又は天井面などに設置されてもよく、光を照射する必要がある場所に応じて、適宜変更可能である。
【００６１】
以上説明した光源ユニット１０の具体的構成などは、適宜設計変更可能であり、上述の実施形態に記載された作用及び効果は、本発明から生じる最も好適な作用及び効果を列挙したに過ぎず、本発明による作用及び効果は、上述の実施形態に記載されたものに限定されるものではない。
【符号の説明】
【００６２】
１−誘導灯（照明器具）
１０−光源ユニット
１１−発光部
１１Ａ−ＬＥＤ（光源）
１２−保持部
１３−筐体
１３Ａ−光源用筐体
１３１−レンズ部
【図１】
2012123992.tif 000003
【図２】
2012123992.tif 000004
【図３】
2012123992.tif 000005
【図４】
2012123992.tif 000006
【図５】
2012123992.tif 000007